(57)【要約】【課題】集塵カバー内における粉塵の集塵効率を高めると共に、回転止め工具を用いてスピンドルの回転止めが可能な電動工具を提供する。【解決手段】モータＭを収容したハウジング１０から突出させたスピンドル１６に円盤状工具を取り付け、ハウジングに、円盤状工具を覆う集塵カバー２０を備え、集塵カバーに、スピンドルを回転止めする回転止め工具２５を集塵カバー内に挿入可能な工具挿入口２４Ｂを形成した電動工具１であって、集塵カバーに、工具挿入口を開閉自在に塞ぐゴムリング２６を備えた。【選択図】図３
2012213820.tif 000002
【特許請求の範囲】
【請求項１】
モータを収容したハウジングから突出させたスピンドルに円盤状工具を取り付け、前記ハウジングに、前記円盤状工具を覆う集塵カバーを備え、該集塵カバーに、前記スピンドルを回転止めする回転止め工具を前記集塵カバー内に挿入可能な工具挿入口を形成した電動工具であって、
前記集塵カバーに、前記工具挿入口を開閉自在に塞ぐ開閉部材を備えたことを特徴とする電動工具。
【請求項２】
前記開閉部材は、前記集塵カバーに装着されて前記工具挿入口を塞ぐリング状のゴム部材であることを特徴とする請求項１に記載の電動工具。
【発明の詳細な説明】
【技術分野】
【０００１】
この発明は、スピンドルに取り付けた円盤状工具を覆い、被加工物を加工するときに発生する粉塵を集塵する集塵カバーを備えた電動工具に関する。
【背景技術】
【０００２】
特許文献１には、ハウジングに収容したモータによって回転するスピンドルを備えて、このスピンドルに円盤状の研削工具を取り付けると共に、研削工具の周囲を覆う集塵カバーを備えたグラインダが開示されている。一般にこのグラインダでは、回転する研削工具を被加工物に当てながら被加工物上を移動させることで被加工物を研削し、研削時に発生した粉塵は、集塵カバー内に集塵された後に集塵カバー内と連通する集塵筒から吸引ホースを介して集塵機に収集される。
【先行技術文献】
【特許文献】
【０００３】
【特許文献１】特開２０１１−５６６４１号公報
【発明の概要】
【発明が解決しようとする課題】
【０００４】
ところで上記のグラインダに代表される電動工具では、スピンドルを任意に回転止めするロック機構が故障したときに、スパナ等の回転止め工具でスピンドルを回転止めできるようにするために、集塵カバーには、集塵カバー内に回転止め工具を挿入可能な工具挿入口が形成されている。しかしながら集塵カバーに工具挿入口を形成すると、集塵カバーの内部と外部とが工具挿入口を通じて連通することになる。その結果として、集塵カバーの気密性が低下し、集塵カバー内に粉塵を集塵する効率が低下することが懸念されていた。
【０００５】
一方気密性を確保するために工具挿入口を常時閉塞すると、回転止め工具を集塵カバー内に挿入できなくなるため、スピンドルのロック機構の故障時に回転止め工具を用いてスピンドルの回転止めを行うことができなくなるという不都合がある。
【０００６】
この発明は、このような状況に鑑み提案されたものであって、集塵カバー内における粉塵の集塵効率を高めると共に、回転止め工具を用いてスピンドルの回転止めが可能な電動工具を提供することを目的とする。
【課題を解決するための手段】
【０００７】
請求項１の発明に係る電動工具は、モータを収容したハウジングから突出させたスピンドルに円盤状工具を取り付け、前記ハウジングに、前記円盤状工具を覆う集塵カバーを備え、該集塵カバーに、前記スピンドルを回転止めする回転止め工具を前記集塵カバー内に挿入可能な工具挿入口を形成した電動工具であって、前記集塵カバーに、前記工具挿入口を開閉自在に塞ぐ開閉部材を備えたことを特徴とする。
【０００８】
請求項２の発明は、請求項１において、前記開閉部材は、前記集塵カバーに装着されて前記工具挿入口を塞ぐリング状のゴム部材であることを特徴とする。
【発明の効果】
【０００９】
請求項１の発明に係る電動工具によれば、開閉部材が集塵カバーに形成した工具挿入口を塞ぐことで、集塵カバーの密閉度が向上する。これに伴って、集塵カバー内における粉塵の集塵効率を高めることができる。また開閉部材が集塵カバーに工具挿入口を開口させることで、回転止め工具を工具挿入口から集塵カバー内に挿入可能となる。その結果、回転止め工具でスピンドルを回転止めすることが可能になる。
請求項２の発明によれば、リング状のゴム部材が前記工具挿入口を塞ぐことで、集塵カバーの密閉度が向上する。これに伴って、集塵カバー内における粉塵の集塵効率を高めることができる。また前記ゴム部材を捲り上げることで、集塵カバーに工具挿入口を開口させることが可能になる。これにより、回転止め工具を工具挿入口から集塵カバー内に挿入して、回転止め工具でスピンドルを回転止めすることが可能になる。
【図面の簡単な説明】
【００１０】
【図１】本実施形態のディスクグラインダの側断面図である。
【図２】同ディスクグラインダが備える集塵カバーの平面図である。
【図３】同ディスクグラインダのスピンドルを回転止めするときの説明図である。
【発明を実施するための形態】
【００１１】
本発明の実施形態を図１ないし図３を参照しつつ説明する。図１に示すディスクグラインダ１は、ハウジング１０と集塵カバー２０とを備えている。ハウジング１０は、モータハウジング１１と、ギヤハウジング１５とによって構成されている。なお、ディスクグラインダ１は本発明の電動工具の一例である。
【００１２】
モータハウジング１１は、筒状に形成されてモータＭを収容する。モータＭの回転軸１２は、軸受１３を介してモータハウジング１１内に回転可能に支持されている。回転軸１２の先端には第１ベベルギヤ１４が設けられている。
【００１３】
ギヤハウジング１５は、モータハウジング１１の前方（図１中の左側）に組み付けられている。ギヤハウジング１５内には、モータハウジング１１から回転軸１２が突入している。加えてギヤハウジング１５内には、スピンドル１６が軸受１７、１８を介して回転可能な状態で回転軸１２と直交状に支持されている。スピンドル１６の上方側には第２ベベルギヤ１９が外装されている。この第２ベベルギヤ１９に第１ベベルギヤ１４が噛合することにより、回転軸１２の回転がスピンドル１６に伝達される。スピンドル１６の下端は、ギヤハウジング１５の下方へ突出している。スピンドル１６の下端部の外周面には雄ネジ部１６Ａが形成されている。このディスクグライダ１では円盤状の研削工具（図示せず。）が、インナフランジと雄ネジ部１６Ａに螺合したロックナットとで挟持されてスピンドル１６に取り付けられる。なお、円盤状の研削工具は本発明の円盤状工具の一例である。
【００１４】
集塵カバー２０は、図１及び図２に示すように、本体カバー２１と、補助カバー２２と、プレート２３と、ホルダ部２４と、ゴムリング２６とを備えている。本体カバー２１及び補助カバー２２は樹脂によって成形されている。本体カバー２１の上面には、スピンドル１６を挿通可能な挿通孔２１Ａが開口する。補助カバー２２は、本体カバー２１に対して着脱可能に取り付けられている。補助カバー２２を本体カバー２１に取り付けた状態では、集塵カバー２０は、円盤状の研削工具よりも大径で下向きに開口する略椀形状をなし前記研削工具の周囲を覆う。本体カバー２１の外面には、本体カバー２１の内部と連通する集塵筒２１Ｂが設けられている。この集塵筒２１Ｂには、吸引ホースを介して集塵機が接続可能である。
【００１５】
プレート２３は、金属製であって４本のネジ２３Ａによって本体カバー２１の上面に固定されている。プレート２３には、本体カバー２１の挿通孔２１Ａと連通する開口部２３Ｂが形成されている。ホルダ部２４は、金属製で、開口部２３Ｂと同心の円環状とされてプレート２３の上面と一体に形成されている。ホルダ部２４をギヤハウジング１５の下端部に嵌め合わせてネジ２４Ａで締結することで、集塵カバー２０はギヤハウジング１５に連結される。
【００１６】
図１及び図３に示すように、プレート２３とホルダ部２４との境界付近に当たるホルダ部２４の根元部分には、工具挿入口２４Ｂが形成されている。工具挿入口２４Ｂは、スパナ２５を集塵カバー２０の外部から内部へ挿入するために用いられる。さらに、ゴムリング２６が前記根元部分の外周面に沿って嵌められている。ゴムリング２６の下端部には、放射方向に張り出すフランジ部２６Ａ（図３参照。）が形成されている。図１に示すように、ゴムリング２６は前記根元部分の外周面に密着して工具挿入口２４Ｂを常時閉塞すると共に、フランジ部２６Ａはプレート２３の上面に密着してゴムリング２６と前記上面との隙間を塞ぐ。なお、ゴムリング２６は本発明のリング状のゴム部材の一例である。
【００１７】
次にディスクグラインダ１の動作を説明する。このディスクグラインダ１によって被加工物の被処理面を研削する場合には、作業者がモータハウジング１１を把持してスイッチをＯＮ状態にすることでモータＭを駆動させると共に集塵機を作動させる。モータＭの駆動に伴って回転する研削工具を、被処理面に当てながら被処理面上を移動させることで被処理面を研削する。被処理面の研削時に発生した粉塵は、集塵カバー２０の集塵筒２１Ｂに向けた吸引力によって集塵筒２１Ｂから吸引ホースを介して集塵機へ収集される。このときゴムリング２６は工具挿入口２４Ｂを閉塞すると共に、フランジ部２６Ａは、ゴムリング２６とプレート２３の上面との隙間を塞いでいる。したがって集塵カバー２０の内部と外部とが連通することがなく、集塵カバー２０の密閉度を向上させて粉塵が集塵カバー２０の外部に飛散することを防止できる。よって、集塵カバー２０が粉塵を集塵する効率が高まる。
【００１８】
一方、例えば摩耗した研削工具を交換する場合にスピンドル１６を任意に回転止めするロック機構が故障したときには、スパナ２５でスピンドル１６を回転止めする作業が必要になる。この場合には、図３に示すようにゴムリング２６を捲り上げることで工具挿入口２４Ｂが集塵カバー２０に開口する。その後図示するように、スパナ２５を工具挿入口２４Ｂから集塵カバー２０内に挿入してスピンドル１６に設けた面取部に係止することで、スピンドル１６の回転止めが可能になる。なお、スパナ２５は本発明の回転止め工具の一例である。
【００１９】
＜本実施形態の効果＞
本実施形態のディスクグラインダ１では、ゴムリング２６が工具挿入口２４Ｂを閉塞することで、集塵カバー２０の密閉度が向上する。これに伴って、集塵カバー２０内における粉塵の集塵効率を高めることができる。また、ゴムリング２６を捲り上げることで、工具挿入口２４Ｂを集塵カバー２０に開口させることが可能になる。これにより、スパナ２５を工具挿入口２４Ｂから集塵カバー２０内に挿入して、スパナ２５でスピンドル１６を回転止めすることが可能になる。
【００２０】
本発明は、上述した実施形態に限定されるものではなく、発明の趣旨を逸脱しない範囲内において構成の一部を適宜変更して実施できる。例えば上述した実施形態とは異なり、ゴムリング２６に代えてゴム製のＯリングを、前記根元部分の外周面に沿って嵌めることで、Ｏリングが工具挿入口２４Ｂを閉塞するようにしてもよい。
【００２１】
また上述した実施形態とは異なり、ホルダ部２４に、例えばヒンジ部材を介して上下方向に回転可能な開閉板を取り付けて、この開閉板によって工具挿入口２４Ｂを開閉自在に塞いでもよい。これにより、上述した実施形態と同様に、集塵カバー２０内における集塵効率を高めることができ、スパナ２５でスピンドル１６を回転止めすることが可能になる。
【００２２】
さらに上述したゴムリング２６に代えて、ホルダ部２４に着脱可能なゴム磁石によって、工具挿入口２４Ｂを開閉自在に塞いでもよい。この場合にも、上述した実施形態と同様に、集塵カバー２０内における集塵効率を高めることができ、スパナ２５でスピンドル１６を回転止めすることが可能になる。なお、上記の開閉板及びゴム磁石は本発明の開閉部材の一例である。加えて、上述した実施形態では、本発明をディスクグラインダに適用する例を示したが、これに限らず、本発明をサンダや集塵カバーを備えたカッタ等の電動工具に適用してもよい。
【符号の説明】
【００２３】
１・・ディスクグラインダ、１０・・ハウジング、１１・・モータハウジング、１５・・ギヤハウジング、１６・・スピンドル、２０・・集塵カバー、２４Ｂ・・工具挿入口、２５・・スパナ、２６・・ゴムリング、Ｍ・・モータ。
【図１】
2012213820.tif 000003
【図２】
2012213820.tif 000004
【図３】
2012213820.tif 000005